(57)【特許請求の範囲】
【請求項１】
スイッチング要素（１０）が変位可能に取り付けられたスイッチングカーブ（２０）を備え、前記スイッチングカーブ（２０）が、キャッチ用凹部（２６）を有するループ状セグメント（２３）を含み、前記スイッチング要素（１０）が、ばね（６３）の力によって前記キャッチ用凹部（２６）と係合可能である、引き抜きガイド用、特に、引出しの引き抜きガイド用のキャッチ部品において、
開始要素（３０）が設けられ、
前記開始要素（３０）によって、前記スイッチング要素（１０）が前記キャッチ用凹部（２６）から移動可能であることを特徴とする、キャッチ部品。
【請求項２】
前記開始要素（３０）が、スイッチ（７０）によって起動されうることを特徴とする、請求項１に記載のキャッチ部品。
【請求項３】
前記スイッチ（７０）が、電気機械的または電磁的に前記開始要素（３０）を作動させることを特徴とする、請求項２に記載のキャッチ部品。
【請求項４】
前記開始要素（３０）が、前記スイッチングカーブ（２０）を有するコンポーネント（１８）に変位可能または枢動可能に取り付けられることを特徴とする、請求項１〜３のいずれか一項に記載のキャッチ部品。
【請求項５】
前記開始要素（３０）が、前記スイッチングカーブ（２０）を有するコンポーネント（１８）の受け部（４０）に沿って変位可能に取り付けられるスライダとして構成されることを特徴とする、請求項１〜４のいずれか一項に記載のキャッチ部品。
【請求項６】
初期位置にある前記開始要素（３０）が、前記スイッチング要素（１０）用のストッパ（３１）を形成することを特徴とする、請求項１〜５のいずれか一項に記載のキャッチ部品。
【請求項７】
前記開始要素（３０）が、リフト磁石（５０）によって移動可能であることを特徴とする、請求項１〜６のいずれか一項に記載のキャッチ部品。
【請求項８】
センサが設けられ、
前記センサによって、スライドレール（３）の移動、または、スライドレール（３）に連結されたコンポーネントの移動が検出可能であることを特徴とする、請求項１〜７のいずれか一項に記載のキャッチ部品。
【請求項９】
前記スイッチングカーブ（２０）がホルダに固定され、前記開始要素（３０）が可動であることを特徴とする、請求項１〜８のいずれか一項に記載のキャッチ部品。
【発明の詳細な説明】
【技術分野】
【０００１】
本発明は、引き抜きガイド用のキャッチ部品（ｃａｔｃｈ  ｆｉｔｔｉｎｇ：留め具）、特に、引出しの引き抜きガイド用のキャッチ部品に関する。かかるキャッチ部品は、スイッチング要素が変位可能に取り付けられたスイッチングカーブを備え、各スイッチングカーブは、キャッチ用凹部を有するループ状セグメントを含み、スイッチング要素は、ばねの力によってキャッチ用凹部と係合可能である。
【背景技術】
【０００２】
欧州特許出願公開第１８４５８２１号明細書には、キャッチ機構が設けられた引出し引き抜きガイド用の開閉デバイスが開示されている。引出しを閉じるとき、排出（ｅｊｅｃｔｉｏｎ）デバイスのばねが付勢され、キャッチ機構によって固定される。キャッチ機構のロックを解除するために、引出しは、スイッチング要素が係合位置からスイッチングカーブ内で移動された後、ばねによって開位置に移動されるように、ばねの力に抗して押圧される。この開閉デバイスの欠点は、引出しを手で押すことでロックが解除されることである。詳細に言えば、引出しの両側に開閉デバイスが配設された幅広の引出しの場合、一方では開閉デバイスしかロック解除されておらず、他方ではスイッチング要素が係合したままであるという事態が起こりうる。その結果、引出しが開けず、さらには、キャッチ部品のコンポーネント（構成要素）が強い力にさらされて、損傷するおそれがある。
【発明の概要】
【発明が解決しようとする課題】
【０００３】
したがって、本発明の目的は、スイッチング要素を確実にロック解除する可動家具部品用のキャッチ部品を提供することである。
【課題を解決するための手段】
【０００４】
この目的を達成するために、請求項１の特徴を有するキャッチ部品が提供される。
【０００５】
本発明によれば、キャッチ部品は、開始要素（ｉｎｉｔｉａｔｏｒ）を備え、開始要素によって、スイッチング要素がキャッチ用凹部から移動できる。その結果、スイッチング要素のロック解除は開始要素を介して直接行われ、許容誤差の結果としてスイッチング要素の位置決めを不正確なものにする複数のコンポーネントを介さない。開始要素は、キャッチ用凹部に対して相対運動することによって、スイッチング要素をスイッチングカーブのループ状セグメント内に変位可能である。この場合、開始要素および／またはキャッチ用凹部は、ロック解除をもたらすために必要に応じて可動であるように構成されうる。
【０００６】
一実施形態において、開始要素は、スイッチによって起動され、スイッチは、電気機械的、電磁的または他の何らかの方法で開始要素を作動させることができ駆動手段を作動させうる。スイッチは、例えば、引出しのフロントパネルまたはハンドル要素に配置されうる。また、センサによって引出しが押し込まれる動きを検出でき、センサは、開始要素を作動させるための信号をコントローラに送信し、これにより引出しの両側でスイッチング要素を同時にロック解除される。この目的のために、センサは、開始要素が作動可能であるように、スライドレールまたはスライドレールに連結されたコンポーネントの動きを検出しうる。光学、音響または他の信号に基づいて、コントローラによりスイッチが作動されうる。
【０００７】
開始要素は、一実施形態において、スイッチングカーブ上に変位可能または枢動可能に取り付けられる。一実施形態において、開始要素は、コンポーネントの受け部に沿ってスイッチングカーブへ変位可能に装着されるスライダとして構成される。開始要素は駆動手段によって動作され、この駆動手段は、起動プロセス後、開始要素を移動させて初期位置に戻す。開始要素は、枢動可能、回転可能または変位可能なように構成される。さまざまな作動手段ないし駆動手段は、例えば、以下に記載する復帰デバイスを有するリフト磁石などの駆動手段が適している。
【０００８】
一実施形態において、開始要素は、初期位置において、スイッチング要素用のストッパを形成する。これにより、スイッチング要素は、開始要素が動くと直接動かされる。開始要素は、この場合、キャッチ用凹部が設けられたスイッチングカーブの静止突出部に隣接位置に配置される。
【０００９】
スイッチング要素のロックを解除するために、スイッチングカーブがホルダに固定され、開始要素は、スイッチングカーブに対して移動可能である。あるいは、開始要素が静止するように構成され、スイッチングカーブが開始要素に対して可動であり、開始要素およびスイッチングカーブの両方が反対方向に可動であるようにしてもよい。
【００１０】
一実施形態において、開始要素は、開放方向においてストッパと当接し、スイッチングカーブは、開放方向の引張り負荷下に開始要素に対して可動である。これにより、引出しが開放方向に引張り力がかけられていれば、過負荷安全デバイスとなりうる。次に、開始要素は、ストッパによって固定位置に配置され、好ましくは、初期位置においてスイッチングカーブに予め張力をかけるためのばねの力に抗して、引出しの開放方向にスイッチングカーブが動くことによって、ロックが解除される。過負荷を引き起こす力は、このようなばねによって予め規定される。引張り力または過負荷によってスイッチング要素がロック解除されている間、スイッチングカーブおよび開始要素の動き、すなわち、スイッチングカーブは開放方向に移動され、開始要素は反対方向に移動される動きによるトリガ（起動措置）を組み合わせることも可能である。この目的のために、引張り力または引張り移動を検出するための対応するセンサが設けられ、センサに接続されたコントローラが、開始要素を作動するために設けられるとよい。
【００１１】
以下、添付の図面を参照することによって、いくつかの例示的な実施形態を参照しながら本発明について詳細に説明する。
【図面の簡単な説明】
【００１２】
【図１】引き抜きガイドに装着したキャッチ部品の斜視図を示す。
【図２】図１のキャッチ部品の斜視図を示す。
【図３】図２のキャッチ部品の分解図を示す。
【図４】Ａ及びＢは図２のキャッチ部品のスイッチング要素が見える状態のスイッチングカーブの図を示す。
【図５】Ａ〜Ｄは開始要素が見える状態のスイッチングカーブを有するコンポーネントの斜視図を示す。
【図６】Ａ〜Ｄはスイッチング要素のロック解除中のスイッチングカーブの図を示す。
【図７】開始要素および図３の斜視図のスイッチングカーブを有するコンポーネントの拡大図を示す。
【図８】Ａ〜Ｄはスイッチング要素のロック解除中のキャッチ部品の図を示す。
【図９】Ａ〜Ｄはスイッチング要素のロック解除中のスイッチを有するキャッチ部品の図を示す。
【図１０】キャッチ部品の引き金を制御するための概略回路図を示す。
【図１１】キャッチ部品の変形例の分解図を示す。
【発明を実施するための形態】
【００１３】
引き抜きガイド１は、家具本体に取付可能である固定ガイドレール２を備える。ガイドレール２には、直接、または、突出状の作動器（ａｃｔｉｖａｔｏｒ）１７が固定された中央レールを介して、スライドレール３が変位可能に取り付けられている。作動器１７は、ハウジング４の湾曲したガイド５に沿って変位可能である随伴具（ｅｎｔｒａｉｎｅｒ）７に連結されうる。ハウジング４は、ガイドレール２に固定されうる。
【００１４】
ハウジング４に、ばね要素のさらなるハウジング６が固定される。ハウジング６は、ハウジング４と一体形成された支持体６５（図３）に係合されてもよい。随伴具７は、ドーム状の受け部に厚みのある球形状の端部セクション６１とともに収容されるロッド６０に連結される。ロッド６０は、ばね６３の一端が当接する端部セクション６１と反対側にあるディスク６２に接続される。ばね６３の反対側の端部は、ハウジング６のカバー６４に支持される。
【００１５】
随伴具７は、連結要素９（図４を参照）が固定されたサイドアーム８をさらに有する。連結要素９は、屈曲した端部セクション１１を有する金属ワイヤとして構成されたスイッチング要素１０に接続される。スイッチング要素１０の屈曲端部セクション１１は、コンポーネント１８と一体形成されるスイッチングカーブ２０に係合する。
【００１６】
コンポーネント１８は、ハウジング４の溝状の受け部１９上に変位可能に取り付けられる。この場合、コンポーネント１８は、ハウジング４のホルダ４８に一方のばね端部４６で固定されたばね４５によって、初期位置にて予張力がかけられる。コンポーネント１８に、ばね４５の反対側のばね端部４７が固定される。コンポーネント１８から間隔を空けて設けられたハウジング４の受け部１９に、ベース１２が形成される。その結果、ワイヤとして形成されたスイッチング要素１０が、屈曲端部セクション１１がスイッチングカーブ２０に係合する箇所で、スイッチングカーブ２０を介してベース１２とコンポーネント１８との間を移動可能である。さらに、ベース１２により、屈曲端部セクション１１がスイッチングカーブ２０から脱しないようにされている。
【００１７】
スイッチング要素１０は、開始要素３０によって係合位置からロック解除されることができ、この目的の開始要素は、リンク５１を介してリフト磁石５０に連結されている。リフト磁石５０は、内部復帰デバイスを有する。
【００１８】
図４を参照しながら、スイッチングカーブ２０およびスイッチング要素１０の機能について詳細に説明する。
【００１９】
初期位置では、スライドレール３に連結された引出しが閉位置に設置され、スイッチング要素１０は、スイッチングカーブ２０に保持され係合されるようになっている。この目的のために、屈曲端部セクション１１は、スイッチングッカーブ２０のキャッチ用凹部２６にあり、ロッド６０、随伴具７およびさらなる連結要素を介してばね６３の力によってキャッチ用凹部２６内に押し込まれる。ハウジング１８にあるスイッチングカーブ２０は溝状であるように形成され、ループ状セクション２３を備える。
【００２０】
この閉鎖位置から引出しを開ける場合（図４Ａ）、閉鎖位置にある引出しを家具本体の方へ押すことでスイッチング要素１０のロックが解除され、屈曲端部セクション１１がスイッチングカーブ２０上を追い込み斜面（ｒｕｎ−ｉｎ  ｓｌｏｐｅ）２８に向かって移動することで、スイッチング要素１０が枢動し、キャッチ用凹部２６（図４Ｂ）に対してオフセットされて設けられた受け部２７に係合する。引出し１が解放されると、スイッチング要素１０は、出口３２内に移動するまで、圧縮ばね６３の力がかかることで、スイッチングカーブ２０のループ状セクション２３に移動して戻る。
【００２１】
引出しの閉鎖動作中、スイッチング要素１０は、スイッチングカーブ２０に沿ってループ状セクション２３内を移動し、溝状受け部２５に隣接した位置にある分岐点２４へと移動する。したがって、分岐点２４の領域において、スイッチング要素１２は、引出しの前面パネルが家具本体に当たるまで、突出部２５内を最初に移動する。次に、引出し１は、図４Ａに示す位置に達するように、圧縮ばね６３の力がかかることでキャッチ用凹部２６に向かって移動して戻る。
【００２２】
図５および図６には、スイッチング要素１０のロックを解除し、それに対応して、別の方法で引き抜きガイドに装着された押込み要素を開くために、スイッチング要素１０が異なる位置にある、スイッチングカーブ２０を有するコンポーネント１８が示されている。キャッチ用凹部２６からスイッチング要素１０を移動可能にする開始要素３０が、コンポーネント１８に変位可能に装着される。
【００２３】
図５Ａおよび図６Ａにおいて、スイッチング要素１０の端部セクション１１はキャッチ用凹部２６に位置し、開始要素３０は初期位置にある。
【００２４】
スイッチング要素１０のロックを解除するために、開始要素３０は、図６Ｂに示すように、スイッチング要素１０の端部セクション１１がキャッチ用凹部２６から移動し、追い込み斜面２８に押圧されるようにして、コンポーネント１８の長手方向に変位される。図５Ｃに示すように、開始要素３０がさらに変位している間、端部セクション１１は、最終的に、キャッチ用凹部２６から押し出されて、キャッチ用凹部２６の縁にある先端２９をまわってループ状セクション２３内に移動する。これにより、開始要素３０は、追い込み斜面２８に対してオフセットした状態で配置され、好適には、先端２９の方向に傾斜がつけられたストッパ３１を有する。
【００２５】
次に、ばね６３の力により、スイッチング要素１０は、スイッチング要素２０のループ状セクション２３に沿って開口の方向に移動する（図６Ｄ）。
【００２６】
図７には、開始要素３０が詳細に示されている。開始要素３０は、実質的にプレート状に構成され、スイッチングカーブ２０を有するコンポーネント１８の受け部４０に変位可能に取り付けられている。開始要素３０には、ウェブが形成された段３５が設けられ、ウェブの端部には、スイッチング要素１０の端部セクション１１用のストッパ３１が形成される。さらに、コンポーネント１８の実質的に矩形状の受け部４０において案内される開始要素３０に、突出部３２が設けられる。スライドアーム３４が、開始要素３０に横方向に突設されており、凹状の受け部４０の開端部セクション４１を通って延びている。受け部４０には開口４２が形成され、受け部４０を通して、段３５およびストッパ３１付きのウェブが導入される。開始要素３０は、スライドアーム３４に連結された電気機械手段または電磁気手段によって変位可能である。この目的のために、必要に応じて、コントローラを介して励起されるリフト磁石５０が設けられる。コントローラは、ロック解除をもたらすために、電気、光学または音響パルスを検出するためのセンサに接続されうる。
【００２７】
図８Ａ〜図８Ｄは、スイッチング要素１０のロック解除中のキャッチ部品を示す。図８Ａにおいて、開始要素３０は初期位置にあり、スイッチング要素１０はキャッチ用凹部２６にロックされている。ロック解除のために、リフト磁石５０は励起され、スライドアーム３４に連結されたリンク５１によって、開始要素３０を開放方向に対して押す。その結果、スイッチング要素１０の端部セクション１１は、図６Ａ〜図６Ｄに示すように、キャッチ用凹部２６からループ状セクション２３内に移動する。
【００２８】
リフト磁石５０の励起をオフにした後、開始要素３０は、例えば、ばねの形態の内部復帰デバイスによるばね作用下で移動して、初期位置に戻る。次に、ロック解除されたスイッチング要素１０は、ばね６３の力によって、開放方向に移動する。端部位置において、随伴具７は、湾曲したトラックの端部セクションに待機し、引き抜きガイドのスライドレール３は、開放方向に随伴具７から独立して移動しうる。このような解放の変形態様において、リフト磁石は、例えば、外部スイッチによって誘引されうるため、解放にパネルギャップが要求されない。
【００２９】
引出しの前面パネルに引張り力がかけられると、引出しは、コンポーネント１８を変位可能に取り付けられていることによって、ばね４５の力に抗して変位されうる。このような過負荷の状況において、コンポーネント１８とスイッチング要素１０との間の相対運動の結果として、連続する図６Ｂおよび図６Ｃに示すロック解除がもたらされるように、開始要素３０は静止したままであり、開放方向にあるスイッチング要素１０用のストッパを形成することができる。
【００３０】
図９Ａ〜図９Ｄは、コンポーネント１８の移動を検出可能であるセンサ７１を備えるスイッチ７０とともに、ロック解除中のキャッチ部品を示す。
【００３１】
また、コンポーネント１８の変位（過負荷）によるスイッチング要素１０のロック解除は、任意に、開放方向に反して開始要素３０を変位させることによってもたらされうる。この目的のために、スイッチ７０は、センサ７１によって、コントローラがリフト磁石５０を作動させるコンポーネント１８の引張り移動または引張り力を検出しうる。その結果、開始要素３０は、リフト磁石５０によって変位され（図９Ｂおよび図９Ｃ）、図６Ｂおよび図６Ｃを参照しながらすでに説明したように、スイッチング要素１０をロック解除する。ロック解除後、コンポーネント１８は、ばね４５の力によって移動され、開始要素３０は、内部復帰デバイスによって初期位置に移動して戻される（図９Ｄ）。
【００３２】
図１０は、コントローラの概略回路図を示す。スイッチ７０は、センサおよび／または検知デバイスを備え、コントローラを介して、開始要素３０を移動可能なリフト磁石５０に接続される。リフト磁石５０は電源７５に接続され、開始要素３０を作動させるように励起されうる。
【００３３】
図１１は、上述した例示的な実施形態と同じ参照番号で同じコンポーネントが示されたキャッチ部品の変形形態を示す。ハウジング４に、スイッチングカーブを有するコンポーネント１８’が変位可能に取り付けられていないが、コンポーネント１８’には、ハウジング４のホルダ４８’に固定された端部にヘッドセクション１９’が設けられる。その結果、コンポーネント１８は、図４および図６のステップによって、スイッチング要素１０のロック解除のみが起こりうるようにハウジング４に固定される。
【００３４】
図示実施形態において、スイッチ７０は、用途に応じてスイッチング要素１０のロック解除をもたらす機械、光学または音響センサに接続されてもよい。あるいは、例えば、引出しの照明が、スイッチ７０によってオンに切り換えられてもよい。また、スイッチ７０によって他の機能が機能するようにされてもよい。
【００３５】
リフト磁石５０の代わりに、例えば、枢動式の磁石など、開始要素３０を動かすための別の駆動手段が設けられうる。開始要素３０は、線形ではなく枢動可能に取り付けられうる。開始要素３０を動かすための駆動手段は、リフト磁石に限られず、他の調節駆動手段も実現可能である。
【００３６】
いくつかのスイッチング要素１０のロック解除は、スイッチ７０によって、例えば、引出しの反対側にある引き抜きガイドのスイッチング要素１０用のスイッチ７０によって同時に行われうる。
【符号の説明】
【００３７】
１  引き抜きガイド
２  ガイドレール
３  スライドレール
４  ハウジング
５  カーブガイド
６  ハウジング
７  随伴具
８  サイドアーム
９  連結要素
１０  スイッチング要素
１１  端部セクション
１２  ベース
１７  作動器
１８  コンポーネント
１８’  コンポーネント
１９  ヘッドセクション
１９’  ヘッドセクション
２０  スイッチングカーブ
２３  ループ状セクション
２４  分岐点
２５  受け部
２６  キャッチ用凹部
２７  受け部
２８  追い込み斜面
２９  先端
３０  開始要素
３１  ストッパ
３２  出口
３５  段
４０  受け部
４１  縁部セクション
４２  開口
４５  ばね
４６  ばね端部
４７  ばね端部
４８  ホルダ
４８’  ホルダ
５０  リフト磁石
５１  リンク
６０  ロッド
６１  端部セクション
６２  ディスク
６３  ばね
６４  カバー
６５  支持体
７０  スイッチ
７１  センサ
７５  電源
【図１】
0005622246.tif 000002
【図２】
0005622246.tif 000003
【図３】
0005622246.tif 000004
【図４Ａ】
0005622246.tif 000005
【図４Ｂ】
0005622246.tif 000006
【図５Ａ】
0005622246.tif 000007
【図５Ｂ】
0005622246.tif 000008
【図５Ｃ】
0005622246.tif 000009
【図５Ｄ】
0005622246.tif 000010
【図６Ａ】
0005622246.tif 000011
【図６Ｂ】
0005622246.tif 000012
【図６Ｃ】
0005622246.tif 000013
【図６Ｄ】
0005622246.tif 000014
【図７】
0005622246.tif 000015
【図８Ａ】
0005622246.tif 000016
【図８Ｂ】
0005622246.tif 000017
【図８Ｃ】
0005622246.tif 000018
【図８Ｄ】
0005622246.tif 000019
【図９Ａ】
0005622246.tif 000020
【図９Ｂ】
0005622246.tif 000021
【図９Ｃ】
0005622246.tif 000022
【図９Ｄ】
0005622246.tif 000023
【図１０】
0005622246.tif 000024
【図１１】
0005622246.tif 000025